(57)【要約】【課題】移動中のオブジェクトに対して、前記オブジェクトの識別子の検索によって位置情報を要請／獲得して経路探索を行い、外部から位置情報の提供要請を受けた場合には、許可された要請者に対してのみ個人の位置情報を提供することにより、静的オブジェクトはもちろん、動的オブジェクトも目的地として設定することができるようにし、個人の位置情報を保護するための、移動オブジェクトの識別子を用いた目的地設定方法、及びそのための位置情報提供方法を提供すること。【解決手段】移動オブジェクトの識別子を用いた目的地設定方法において、外部から移動オブジェクトの識別子を受信する移動オブジェクト受信ステップと、前記移動オブジェクトの位置情報の提供を前記移動オブジェクトに要請する位置情報要請ステップと、前記移動オブジェクトから位置情報の提供を受ける位置情報獲得ステップと、前記獲得した位置情報を用いて前記移動オブジェクトに対する目的地を設定する目的地設定ステップとを含む。【選択図】図２
2007155744.tif 000002
【特許請求の範囲】
【請求項１】
移動オブジェクトの識別子を用いた目的地設定方法において、
外部から移動オブジェクトの識別子を受信する移動オブジェクト受信ステップと、
前記移動オブジェクトの位置情報の提供を前記移動オブジェクトに要請する位置情報要請ステップと、
前記移動オブジェクトから位置情報の提供を受ける位置情報獲得ステップと、
前記獲得した位置情報を用いて前記移動オブジェクトに対する目的地を設定する目的地設定ステップと
を含むことを特徴とする移動オブジェクトの識別子を用いた目的地設定方法。
【請求項２】
前記設定した目的地に対する経路探索を行う経路探索ステップと、
該経路探索の結果を用いて経路案内サービスを提供するサービス提供ステップと
をさらに含むことを特徴とする請求項１に記載の移動オブジェクトの識別子を用いた目的地設定方法。
【請求項３】
前記経路探索ステップが、
最短経路又は最適経路のいずれかの経路探索を行うことを特徴とする請求項２に記載の移動オブジェクトの識別子を用いた目的地設定方法。
【請求項４】
前記経路探索ステップが、
外部から提供されるリアルタイムの交通情報を用いて経路探索を行うことを特徴とする請求項２に記載の移動オブジェクトの識別子を用いた目的地設定方法。
【請求項５】
前記サービス提供ステップが、
マルチメディアデータの形態で前記経路案内サービスを提供することを特徴とする請求項２に記載の移動オブジェクトの識別子を用いた目的地設定方法。
【請求項６】
前記移動オブジェクト受信ステップが、
移動電話番号、移動局識別番号、固定ＩＰアドレスのうちの１つ以上を前記移動オブジェクトの識別子として外部から受信されることを特徴とする請求項１に記載の移動オブジェクトの識別子を用いた目的地設定方法。
【請求項７】
前記位置情報獲得ステップが、
前記移動オブジェクトから周期的に位置情報の提供を受け、
前記目的地設定ステップが、
前記周期に応じて、目的地設定過程を繰り返し行うことを特徴とする請求項１ないし６のいずれかに記載の移動オブジェクトの識別子を用いた目的地設定方法。
【請求項８】
前記位置情報獲得ステップが、
前記移動オブジェクトから周期的に今後の移動経路上の移動位置情報と現在時刻から今後の移動位置までに所要する時間情報との提供を受け、
前記目的地設定ステップが、
前記周期に応じて、前記今後の移動位置情報と所要時間情報とを用いて目的地設定過程を繰り返し行うことを特徴とする請求項７に記載の移動オブジェクトの識別子を用いた目的地設定方法。
【請求項９】
前記位置情報獲得ステップが、
前記移動オブジェクトから非周期的に位置情報の提供を受け、
前記目的地設定ステップが、
前記移動オブジェクトから新たに位置情報の提供を受けることにより、目的地設定過程を繰り返し行うことを特徴とする請求項１ないし６のいずれかに記載の移動オブジェクトの識別子を用いた目的地設定方法。
【請求項１０】
前記位置情報獲得ステップが、
前記移動オブジェクトから非周期的に今後の移動経路上の移動位置情報と現在時刻から今後の移動位置までに所要する時間情報との提供を受け、
前記目的地設定ステップが、
前記移動オブジェクトから新たに位置情報の提供を受けることにより、前記今後の移動位置情報と所要時間情報とを用いて目的地設定過程を繰り返し行うことを特徴とする請求項９に記載の移動オブジェクトの識別子を用いた目的地設定方法。
【請求項１１】
前記位置情報獲得ステップが、
前記移動オブジェクトが別途に測位モジュールを備えていない場合、外部のＬＢＳサーバから獲得した位置情報が伝達されることを特徴とする請求項１ないし６のいずれかに記載の移動オブジェクトの識別子を用いた目的地設定方法。
【請求項１２】
位置情報提供方法において、
位置情報を提供する位置情報提供テーブルを格納しているステップと、
外部の要請者から位置情報の提供要請を受ける要請受信ステップと、
前記位置情報提供テーブルに前記要請者が登録されていることにより、前記要請者の位置情報提供レベルを確認するレベル確認ステップと、
前記確認した位置情報提供レベルに応じて位置情報を提供する位置情報提供ステップと
を含むことを特徴とする位置情報提供方法。
【請求項１３】
前記位置情報提供テーブルに前記要請者が登録されていない場合には、位置情報提供レベルを決定して登録する登録ステップをさらに含むことを特徴とする請求項１２に記載の位置情報提供方法。
【請求項１４】
前記位置情報提供テーブルが、
多数の項目の組み合わせに応じて互いに異なる位置情報提供レベルを提供することを特徴とする請求項１２に記載の位置情報提供方法。
【請求項１５】
前記位置情報提供テーブルが、
多数の項目として、加入者、アプリケーションサービス、要請者、提供期限を含むことを特徴とする請求項１４に記載の位置情報提供方法。
【請求項１６】
前記位置情報提供テーブルが、
位置情報提供レベルの例外の場合と適用規則について別のフォーマットで定義したその他の項目をさらに含むことを特徴とする請求項１５に記載の位置情報提供方法。
【請求項１７】
前記位置情報提供ステップが、
前記確認した位置情報提供レベルが位置情報提供の拒否の場合、位置情報の提供を拒否し、
前記確認した位置情報提供レベルが同意後の位置情報提供の場合、位置情報提供の可否を尋ねた後、外部入力によって処理し、
前記確認した位置情報提供レベルが通知後の位置情報提供の場合、外部に知らせた後、前記要請者に位置情報を提供し、
前記確認した位置情報提供レベルが位置情報提供の許容の場合、前記要請者に位置情報を提供することを特徴とする請求項１２ないし１６のいずれかに記載の位置情報提供方法。
【請求項１８】
前記位置情報提供ステップが、
周期的に位置情報を前記要請者に提供することを特徴とする請求項１７に記載の位置情報提供方法。
【請求項１９】
前記位置情報提供ステップが、
周期的に今後の移動経路上の移動位置情報と現在時刻から今後の移動位置までに所要する時間情報とを前記要請者に提供することを特徴とする請求項１８に記載の位置情報提供方法。
【請求項２０】
前記位置情報提供ステップが、
非周期的に位置情報を前記要請者に提供することを特徴とする請求項１７に記載の位置情報提供方法。
【請求項２１】
前記位置情報提供ステップが、
非周期的に今後の移動経路上の移動位置情報と現在時刻から今後の移動位置までに所要する時間情報とを前記要請者に提供することを特徴とする請求項２０に記載の位置情報提供方法。
【請求項２２】
前記位置情報提供ステップが、
別途に測位モジュールを備えていない場合、外部のＬＢＳサーバから位置情報を獲得して前記要請者に伝達することを特徴とする請求項１７に記載の位置情報提供方法。
【発明の詳細な説明】
【技術分野】
【０００１】
本発明は、移動オブジェクトの識別子を用いた目的地設定方法、及びそのための位置情報提供方法に関し、より詳しくは、移動中のオブジェクトに対して、前記オブジェクトの識別子の検索によって位置情報を要請／獲得して経路探索を行い、外部から位置情報の要請を受けた場合には、許可された要請者に対してのみ個人の位置情報を提供することにより、固定位置のオブジェクトはもちろん、移動中のオブジェクトも目的地として設定することができるようにし、個人の位置情報を保護するための、移動オブジェクトの識別子を用いた目的地設定方法、及びそのための位置情報提供方法に関する。
【背景技術】
【０００２】
近年、通信技術の発達に伴い、テレマティクス端末機に現在位置及び目的地を入力すると、現在位置から目的地までの最適経路、最短経路を算出して、映像や音声などによってユーザに提供する道案内（ナビゲーション）サービスが一般化しているのが現状である。ここで、目的地を設定するために、名前、住所、固定電話番号などの検索を行う。
【０００３】
一方、テレマティクス端末機と一般のナビゲーション端末機との最大の違いは、通信モジュールの有無にあると言えるが、ＩＳ  ９５Ａ／Ｂ、コード分割多重接続（ＣＤＭＡ  １ｘ／ＥＶＤＯ／ＥＶＤＶ）、ＧＳＭ、ＧＰＲＳ、ＷＣＤＭＡ（ＵＭＴＳ）、無線ＬＡＮ（ＷＬＡＮ）などが通信モジュールとして使用されており、今後、ＨＳＤＰＡ、ＷｉＢｒｏ、ＵＷＢ、ＢｃＮ、及び第４世代移動通信などの通信モジュールが使用されるものと予想される。既存のナビゲーション端末機も、通信モジュールに連係させたテレマティクス端末機へと次第に発展するものと見られる。
【０００４】
テレマティクスサービスを提供するためには、テレマティクス端末機の位置を把握することが必須となる。位置情報を獲得する技術をＰＤＴ（Ｐｏｓｉｔｉｏｎ  Ｄｅｔｅｒｍｉｎａｔｉｏｎ  Ｔｅｃｈｎｏｌｏｇｙ）と言うが、現在、基地局の位置を用いて端末機の位置を把握するネットワーク基盤の測位方式、衛星信号を用いて端末機の位置を追跡するハンドセット基盤の測位方式、前記２つの測位方式を融合して位置の精度を高めるハイブリッド測位方式が活用されている。また、センサの多様化、高性能化に伴い、位置センサを用いて室内外の端末機の位置を追跡するセンサ基盤の測位方式もすでに開発されている。
【０００５】
ここで、各測位方式別にみると、ネットワーク基盤の測位方式は、到来角（Ａｎｇｌｅ  Ｏｆ  Ａｒｒｉｖａｌ）、電波到達時間（Ｔｉｍｅ  Ｏｆ  Ａｒｒｉｖａｌ）、送信信号の到達時間差（Ｔｉｍｅ  Ｄｉｆｆｅｒｅｎｃｅ  Ｏｆ  Ａｒｒｉｖａｌ）をそれぞれ用いた方式に分類することができる。そして、ハンドセット基盤の測位方式には、ＧＰＳ、ガリレオ、ＧＬＯＮＡＳＳのような航法衛星測位システムや、衛星測位システムの陰影地域を克服して精度を高めるジャイロセンサ、ホイールセンサ、スピードセンサ、加速度センサなどを用いた慣性航法装置のＤＲシステムなどがある。
【０００６】
一方、近年の関連分野の市場をみると、韓国国内では位置情報保護法の通過により、位置情報事業者が許可を得て、様々なＬＢＳ（Ｌｏｃａｔｉｏｎ  Ｂａｓｅｄ  Ｓｅｒｖｉｃｅ）を展開している。また、現在のテレマティクス端末機は、車両に装着する車両用テレマティクス端末機と、ユーザによる車両への着脱及び携帯可能な携帯用テレマティクス端末機とが普及しているが、このような市場の状況からみると、移動可能な端末機（移動中のオブジェクト）から位置情報の提供を受け、経路探索を行う技術が非常に有用なものとして期待される。
【発明の開示】
【発明が解決しようとする課題】
【０００７】
本発明は、このような期待に応えるためになされたものであり、その目的は、移動中のオブジェクトに対して、前記オブジェクトの識別子（例えば、移動電話番号、ＩＰアドレス）の検索によって位置情報を要請／獲得して経路探索を行い、外部から位置情報の提供要請を受けた場合には、許可された要請者に対してのみ個人の位置情報を提供することにより、静的オブジェクトはもちろん、動的オブジェクトも目的地として設定することができるようにし、個人の位置情報を保護するための、移動オブジェクトの識別子を用いた目的地設定方法、及びそのための位置情報提供方法を提供することにある。
【０００８】
すなわち、本発明の目的は、既存の名前／住所／固定電話番号の検索によって固定位置のオブジェクトに対する位置情報の獲得、経路探索だけでなく、識別子の検索によって移動中のオブジェクトに対しても位置情報を要請及び獲得し、これを用いて経路探索を行うことができるようにし、外部から位置情報の提供要請を受けた場合には、位置情報提供テーブルに登録された段階別の位置情報提供レベルなどに応じて許可された要請者に個人の位置情報を伝達することにより、固定位置のオブジェクトはもちろん、移動中のオブジェクトも目的地として設定することができるようにし、個人の位置情報を保護するための、移動オブジェクトの識別子を用いた目的地設定方法、及びそのための位置情報提供方法を提供することにある。
【課題を解決するための手段】
【０００９】
上記目的を達成するための本発明の方法は、移動オブジェクトの識別子を用いた目的地設定方法において、外部から移動オブジェクトの識別子を受信する移動オブジェクト受信ステップと、前記移動オブジェクトの位置情報の提供を前記移動オブジェクトに要請する位置情報要請ステップと、前記移動オブジェクトから位置情報の提供を受ける位置情報獲得ステップと、前記獲得した位置情報を用いて前記移動オブジェクトに対する目的地を設定する目的地設定ステップとを含む。
【００１０】
一方、上記目的を達成するための本発明の他の方法は、位置情報提供方法において、位置情報を提供する位置情報提供テーブルを格納しているステップと、外部の要請者から位置情報の提供要請を受ける要請受信ステップと、前記位置情報提供テーブルに前記要請者が登録されていることにより、前記要請者の位置情報提供レベルを確認するレベル確認ステップと、前記確認した位置情報提供レベルに応じて位置情報を提供する位置情報提供ステップとを含む。
【発明を実施するための最良の形態】
【００１１】
以下、添付された図面を参照して本発明の好ましい実施形態をさらに詳細に説明する。
【００１２】
図１は、本発明が適用されるテレマティクスサービスシステム全体の一実施形態を示す構成図である。
【００１３】
同図に示すように、本発明が適用されるテレマティクスサービスシステムは、第１テレマティクス端末機１００、第２テレマティクス端末機９００、個人位置情報保護モジュール３００、ＬＢＳサーバ４００、テレマティクスサービス提供サーバ５００、及びリアルタイム交通情報提供サーバ６００を備える。
【００１４】
ここで、テレマティクスサービス提供サーバ５００は、ＬＢＳサーバ４００及びリアルタイム交通情報提供サーバ６００と通信を行い、該当する情報を第１テレマティクス端末機１００及び第２テレマティクス端末機９００に伝達する。もちろん、第１テレマティクス端末機１００及び第２テレマティクス端末機９００と、ＬＢＳサーバ４００と、リアルタイム交通情報提供サーバ６００とを直接接続するように実現することも可能である。
【００１５】
また、個人位置情報保護モジュール３００は、第１テレマティクス端末機１００及び第２テレマティクス端末機９００の内部に内蔵することもでき、ＬＢＳサーバ４００又はテレマティクスサービス提供サーバ５００に機能的に備えることもでき、上記のように別のサーバとして存在することもできる。
【００１６】
そして、要請端末機の第１テレマティクス端末機１００と対象端末機の第２テレマティクス端末機９００は、第１通信モジュール１０２と第２通信モジュール９０２をそれぞれ用いてＳＭＳ（Ｓｈｏｒｔ  Ｍｅｓｓａｇｉｎｇ  Ｓｅｒｖｉｃｅ）、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＨＴＴＰなどのプロトコルを介して情報のやり取りをする。
【００１７】
すなわち、第１テレマティクス端末機１００は、第２テレマティクス端末機９００から位置情報の提供を受け、第１測位モジュール１０１を用いて自体の現在位置を把握する。そして、自体の位置情報と対象端末機の位置情報をそれぞれ出発地と目的地として設定し、ユーザへの道案内サービスを開始する。このとき、リアルタイム交通情報提供サーバ６００から交通情報の提供を受け、これを反映させた道案内サービスを提供することもできる。
【００１８】
要請端末機の第１テレマティクス端末機１００と対象端末機の第２テレマティクス端末機９００の各内部動作については、図２、図４及び図５を参照してそれぞれ説明する。
【００１９】
図２は、本発明に係る移動オブジェクトの識別子を用いた目的地設定方法に関する一実施形態を示すフローチャートである。
【００２０】
まず、要請端末機の第１テレマティクス端末機１００は、外部入力（ユーザ入力）によって道案内サービスプログラムを駆動し（Ｓ２０１）、目的地設定方式を受信する（Ｓ２０２）。もちろん、道案内サービスのほかにも、対象端末機の位置情報を要求する各種のアプリケーションサービスを外部入力によって開始することもできるということは、言うまでもない。
【００２１】
次いで、前記受信された目的地設定方式の種類を判断する（Ｓ２０３）。
【００２２】
このとき、既存の目的地設定方式である名前の検索、住所の検索、固定電話番号の検索、最近の目的地の検索などと共に、移動オブジェクト（対象端末機）の識別子の検索を目的地設定方式として提供する。ここで、移動オブジェクトの識別子は、移動電話番号、移動局識別番号、固定ＩＰアドレスなどのように、対象端末機を固有識別することができるものである。
【００２３】
前記目的地設定方式の判断の結果（Ｓ２０３）、既存の目的地設定方式（名前／住所／固定電話番号の検索など）が受信された場合には、公知の従来技術に従って処理する（Ｓ２１０）。
【００２４】
一方、前記目的地設定方式の判断の結果（Ｓ２０３）、移動オブジェクトの識別子検索方式が受信された場合には、移動オブジェクトの識別子を検索及び受信する（Ｓ２０４）。次いで、前記受信された対象端末機、すなわち、第２テレマティクス端末機９００に位置情報を要請する（Ｓ２０５）。
【００２５】
このとき、第１テレマティクス端末機１００の第１通信モジュール１０２がＳＭＳ、ＴＣＰ／ＩＰ、ＨＴＴＰなどを介して第２テレマティクス端末機９００の第２通信モジュール９０２との通信を行い、各種の要請や情報のやり取りをする。
【００２６】
この後、第１テレマティクス端末機１００は、第２テレマティクス端末機９００から位置情報が伝達されることにより（Ｓ２０６）、第１測位モジュール１０１を用いて獲得した自体の現在位置情報と、前記伝達された第２テレマティクス端末機９００の位置情報とを用いて出発地と目的地とを設定する（Ｓ２０７）。すなわち、経路設定を行う。
【００２７】
次いで、経路（例えば、最短経路、最適経路）探索を行い（Ｓ２０８）、ユーザに経路案内（道案内）サービスを提供する（Ｓ２０９）。このとき、経路案内サービスは、映像や音声などのようなマルチメディアデータの形態で提供することができる。ここで、経路を離脱したり、特別な事項や例外事項が発生する場合には、経路設定及び経路探索の過程を繰り返す（Ｓ２１１）。
【００２８】
このとき、リアルタイム交通情報提供サーバ６００から交通情報の提供を受け、経路探索に反映することもできる。また、経路探索を行う第１テレマティクス端末機１００のＣＰＵ、メモリなどの制限によって端末機内における経路探索がスムーズでない場合には、テレマティクスサービス提供サーバ５００が経路探索を行った後、その結果を第１テレマティクス端末機１００に提供するように実現することも可能である。
【００２９】
図３Ａないし図３Ｃは、対象端末機の移動状態による経路探索に関する一実施形態を示す説明図である。
【００３０】
図３Ａは、緊急救難、緊急呼び出しなどの理由から対象端末機の第２テレマティクス端末機９００が固定位置で待機している場合における、第１テレマティクス端末機１００の経路探索を示す。ここで、第２テレマティクス端末機９００が移動を開始すると、情報提供レベルに応じて第１テレマティクス端末機１００に自体の移動情報（位置情報など）を伝達し、図３Ｂ、図３Ｃの状態に切り換えられる。
【００３１】
図３Ｂは、要請端末機の第１テレマティクス端末機１００と対象端末機の第２テレマティクス端末機９００がそれぞれ移動し、時間上の中間地点（Ａ地域）又は一定の出会いの場所（Ｂ地域）への経路探索を行う場合を示す。このとき、時間上の中間地点（Ａ地域）とは、交通状況を反映させた時間的な中間地点であって、駐車場、ＰＯＩ（Ｐｏｉｎｔ  Ｏｆ  Ｉｎｔｅｒｅｓｔ）などを指し、一定の出会いの場所とは、相互間に指定した別の場所を指す。したがって、この際は、移動経路上の今後の位置情報と、現在時刻から今後の位置までに所要する時間情報とを活用して目的地を設定する。
【００３２】
そして、図３Ｃは、対象端末機の第２テレマティクス端末機９００の進路が分からない状態における、第１テレマティクス端末機１００の経路探索を示す。この際は、周期的又は非周期的に第２テレマティクス端末機９００の位置情報を更新し、第１テレマティクス端末機１００に送信して経路設定及び経路探索の過程を繰り返す。
【００３３】
図４は、本発明に係る位置情報提供方法に関する一実施形態を示すフローチャートである。
【００３４】
第２テレマティクス端末機９００は、現在、個人の位置情報を保護するため、情報提供レベルを提供する位置情報提供テーブルを格納している状態である（Ｓ４０１）。
【００３５】
まず、第２テレマティクス端末機９００は、第２通信モジュール９０２を介して第１テレマティクス端末機１００から位置情報の提供要請を受ける（Ｓ４０２）。
【００３６】
この後、第２テレマティクス端末機９００は、前記位置情報提供テーブルの検索を行い（Ｓ４０３）、第１テレマティクス端末機（要請者）の登録の可否を確認する（Ｓ４０４）。
【００３７】
前記登録の可否を確認した結果（Ｓ４０４）、登録された要請者の場合、該当する位置情報提供レベルを確認する（Ｓ４０５）。次いで、前記確認した位置情報提供レベルに応じて位置情報を提供するか又は提供を拒否する（Ｓ４０６）。
【００３８】
これについて、一例として、４段階のレベルが存在する場合を説明すると、４段階のレベルが段階別に、「位置情報提供の拒否（常に拒否）」、「同意した後の位置情報提供（同意後の許容）」、「通知後の位置情報提供（通知後の許容）」、「位置情報提供の許容（常に許容）」である場合、該当する位置情報提供レベルが「位置情報提供の拒否」の場合には、位置情報を要請者に提供せず、「同意した後の位置情報提供」の場合には、ユーザに位置情報提供の同意の可否を尋ねた後、それに応じて提供するか又は提供を拒否し、「通知後の位置情報提供」の場合には、位置情報提供の旨をユーザに知らせた後、要請者に提供し、「位置情報提供の許容」の場合には、位置情報を要請者に提供する。
【００３９】
一方、前記登録の可否を確認した結果（Ｓ４０４）、登録された要請者でない場合には、ユーザに位置情報提供の同意の可否を尋ねた後、それに応じて提供するか又は提供を拒否する（すなわち、ユーザ入力によって位置情報を提供するか又は提供を拒否する）（Ｓ４０７）。このとき、ユーザ入力によって要請者を前記位置情報提供テーブルに登録することができる。ここで、位置情報提供テーブルについて、図５を参照して詳細に説明する。
【００４０】
同図は、個人の位置情報を保護するための位置情報提供テーブルの一実施形態を示す説明図である。
【００４１】
同図に示すように、位置情報提供テーブルは、個人の位置情報を保護するために、加入者（識別子、ニックネーム）、アプリケーションサービス（例えば、道案内サービス、位置情報提供サービス）、要請者（識別子）、提供期限（開始と終了）、その他（例外の場合）のように、各項目の組み合わせに応じて細かく位置情報提供レベルを分けることができる。すなわち、多数の項目を設定し、その組み合わせに応じて位置情報提供レベルを分けるため、要請者別、サービス別、時間帯別に互いに異なる位置情報提供レベルを提供することができる。
【００４２】
また、それに応じて位置情報提供レベルを段階別に提供することができる。例えば、同じ要請者が同じアプリケーションサービスのための位置情報の提供を要請するものであっても、要請した時刻を含む時間帯に応じて４段階の位置情報提供レベルの一部又は全体を並行して使用することができる。
【００４３】
ここで、第２テレマティクス端末機９００は、第１テレマティクス端末機１００から位置情報の提供要請を受けることにより、前記要請者の識別子、アプリケーションサービスの種類（例えば、道案内、位置情報提供）及び提供期限を確認して、それに対応する位置情報提供レベルに応じて動作を行う。一例として、「０１０−１２３４−５６７８」という識別子を有する要請者から位置情報の提供要請を受けることにより、提供期限とアプリケーションサービスの種類を確認し、その結果、有効であれば、ユーザの同意を得ることなく、直ちに位置情報を前記要請者に提供する。もう一つの例として、「０１０−９９９９−９９９９」という識別子を有する要請者から位置情報の提供要請を受けることにより、提供期限とアプリケーションサービスの種類を確認し、その結果、前記位置情報提供テーブルに記録されたデータにそれぞれ該当すれば、ユーザの同意を得ることなく、前記要請者の位置情報提供の要請を拒否する。
【００４４】
また、その他（例外の場合）の項目の場合には、該当する位置情報提供レベルの例外の場合と適用規則について別のフォーマットで定義することができるようにする。
【００４５】
そして、第２テレマティクス端末機９００は、自体が別途に測位モジュールを備えていない場合、外部のＬＢＳサーバ４００から自体の位置情報が伝達され、第１テレマティクス端末機１００に提供する。また、前記第１テレマティクス端末機１００は、第２テレマティクス端末機９００が別途に測位モジュールを備えていない場合、第２テレマティクス端末機９００の許可のもと、外部のＬＢＳサーバ４００から第２テレマティクス端末機９００の位置情報が直接伝達されるように実現することも可能である。
【００４６】
上述した本発明の方法は、プログラムによって実現され、コンピュータで読み出すことのできる形態で記録媒体（ＣＤ−ＲＯＭ、ＲＡＭ、ＲＯＭ、フロッピーディスク、ハードディスク、光磁器ディスクなど）に格納することができる。このような過程は、本発明の属する技術分野における通常の知識を有する者が容易に実施できるため、これ以上の詳細な説明は省略する。
【００４７】
本発明は、移動オブジェクト（車両用／携帯用テレマティクス端末機）の識別子の検索によって目的地を設定することにより、動的な目的地への道案内サービスを提供することができるという効果がある。
【００４８】
また、本発明は、位置情報提供の際、位置情報提供テーブルの位置情報提供レベルに応じて位置情報を提供することにより、個人の位置情報を保護することができるという効果がある。
【００４９】
以上、本発明は、上記した実施形態に限定されるものではなく、本発明に係る技術的思想の範囲から逸脱しない範囲内で様々な変更が可能であり、それらも本発明の技術的範囲に属する。
【図面の簡単な説明】
【００５０】
【図１】本発明が適用されるテレマティクスサービスシステム全体の一実施形態を示す構成図である。
【図２】本発明に係る移動オブジェクトの識別子を用いた目的地設定方法に関する一実施形態を示すフローチャートである。
【図３Ａ】対象端末機の移動状態による経路探索に関する一実施形態を示す説明図である。
【図３Ｂ】対象端末機の移動状態による経路探索に関する一実施形態を示す説明図である。
【図３Ｃ】対象端末機の移動状態による経路探索に関する一実施形態を示す説明図である。
【図４】本発明に係る位置情報提供方法に関する一実施形態を示すフローチャートである。
【図５】個人の位置情報を保護するための位置情報提供テーブルの一実施形態を示す説明図である。
【符号の説明】
【００５１】
１００      第１テレマティクス端末機
１０１      第１測位モジュール
１０２      第１通信モジュール
３００      個人位置情報保護モジュール
４００      ＬＢＳサーバ
５００      テレマティクスサービス提供サーバ
６００      リアルタイム交通情報提供サーバ
９００      第２テレマティクス端末機
９０１      第２測位モジュール
９０２      第２通信モジュール
【図１】
2007155744.tif 000003
【図２】
2007155744.tif 000004
【図３Ａ】
2007155744.tif 000005
【図３Ｂ】
2007155744.tif 000006
【図３Ｃ】
2007155744.tif 000007
【図４】
2007155744.tif 000008
【図５】
2007155744.tif 000009